(57)【要約】      （修正有）【課題】簡易な構成で、開閉部材の閉鎖速度を遅くするとともに、閉塞時に若干の付加抵抗を与えて開閉部材の操作感を付与することが可能な開閉部材動作制御ユニットを提供する。【解決手段】閉塞状態に近接した近接位置となった時点では、上部突起部１２１が下部傾斜面１１１ａの基端部に到達するとともに、開閉部材が緩衝部材に当接している。また、近接位置から閉塞状態へ変位するように更に外力が付加されると、上部突起部１２１は下部傾斜面１１１に沿って上昇して、これに従い、開閉部材は近接位置から閉塞状態へと変位するとともに、この開閉部材の上昇に従い、開閉部材の一部が緩衝部材に圧接しながら上昇して、開閉部材に下方向への抗力を付加する。この抗力は、上部突起部１２１が下部傾斜面１１１ａを上昇することを阻害する力へと変換されて、開閉部材の閉塞状態への変位速度を低下させる。【選択図】図４
2016044468.tif 000002
【特許請求の範囲】
【請求項１】
開閉部材を開閉方向へ回動させる中心となる蝶番と、開閉部材の閉塞時の当接力を吸収する弾性体である緩衝部材と、を有する開閉部材動作制御ユニットであって、
前記緩衝部材は、前記開閉部材が設置される開口を囲む枠部又は前記開閉部材の輪郭端部、若しくはそれら双方に配設され、
前記蝶番は、前記枠部に固定される下部蝶番と、前記開閉部材に固定される上部蝶番と、を少なくとも有して構成されており、
前記下部蝶番は、前記枠部に固定される下部取付部と、該下部取付部に固定され、前記上部蝶番の回転中心となる中心軸が固定された下部円筒部と、を有して構成されるとともに、
前記上部蝶番は、前記開閉部材に固定される上部取付部と、該上部取付部に固定され、前記中心軸に回動可能に取付けられる上部円筒部と、を有して構成されており、
前記下部円筒部と前記上部円筒部とは、前記中心軸を前記上記円筒部の内部孔に挿通することにより取付けられて、前記下部円筒部の上端天面と前記上部円筒部の下端底面とは、少なくとも一部が接触するように構成され、
前記上端天面には、前記下端底面方向に向けて上昇傾斜する下部傾斜面を有して構成される下部突起部が前記下端底面方向に向けて突設されているとともに、前記下端底面には、前記上端天面方向に向けて下降傾斜する上部傾斜面を有して構成される上部突起部が前記上端天面方向に向けて突設されており、
前記開閉部材の閉塞動作に伴い、前記下部突起部に前記上部突起部が乗り上がって前記開閉部材を上昇させ、当該上昇に伴い、前記開閉部材の一部又は前記枠部の一部が、前記緩衝部材に圧接しながら上昇する、若しくは一方の前記緩衝部材が他方の前記緩衝部材に圧接しながら上昇する、ことを特徴とする開閉部材動作制御ユニット。
【請求項２】
前記開閉部材が開状態から移動して、閉塞状態に近接した近接位置となった時点では、前記上部突起部が前記下部傾斜面の基端部に到達するとともに、
前記開閉部材の一部又は前記枠部の一部が、前記緩衝部材に当接、若しくは一方の前記緩衝部材が他方の前記緩衝部材に当接しており、
前記近接位置から前記閉塞状態へ変位するように更に外力が付加されると、前記上部円筒部は前記下部円筒部に対して回動するとともに、前記上部突起部は前記下部傾斜面に沿って上昇して前記上部円筒部を押し上げ、
前記上部円筒部の上昇に従って、前記開閉部材は前記近接位置から前記閉塞状態へと変位するに従い上昇し、
前記開閉部材の上昇に従い、前記開閉部材の一部又は前記枠部の一部が、前記緩衝部材に圧接しながら上昇して、若しくは一方の前記緩衝部材が他方の前記緩衝部材に圧接しながら上昇して、前記開閉部材に下方向への抗力を付加し、
前記抗力は、前記上部突起部が前記下部傾斜面を上昇することを阻害する力へと変換されて、前記開閉部材の閉塞状態への変位速度を低下させることを特徴とする請求項１に記載の開閉部材動作制御ユニット。
【請求項３】
前記緩衝部材は、
前記枠部内周面に内側へ向けて突設される戸当たりの前記開閉部材配設側面に取付けられた前記弾性体、前記開閉部材の外側面に取付けられた弾性体、前記枠部内周面に内側へ向けて突設される戸当たりの前記開閉部材配設側面及び前記開閉部材の外側面双方に取付けられた複数の前記弾性体、のいずれかの形態であり、
前記抗力は、前記開閉部材の上昇に従い発生する、
前記開閉部材と、前記戸当たりの前記開閉部材配設側面に取付けられた前記弾性体と、の間に生じる摩擦力、
前記戸当たりと、前記開閉部材に取付けられた前記弾性体と、の間に生じる摩擦力、
前記戸当たりの前記開閉部材配設側面に取付けられた一方の前記弾性体と、前記開閉部材に取付けられた他方の前記弾性体と、の間に生じる摩擦力、
のうちのいずれかの摩擦力であることを特徴とする請求項１又は請求項２に記載の開閉部材動作制御ユニット。
【請求項４】
前記緩衝部材は、
前記枠部の上方を規定する上方枠の内壁面に、前記開閉部材方向に突設された弾性体、
前記開閉部材に、前記上方枠の内壁面側に取付けけられた弾性体、
前記枠部の上方を規定する上方枠の内壁面に、前記開閉部材方向に突設された弾性体及び前記開閉部材に、前記上方枠の内壁面側に取付けけられた弾性体、
であり、
前記緩衝部材は、前記開閉部材の上昇に従い、前記開閉部材の天面と前記上方枠の内壁面との間で、上下方向に圧縮され、
前記抗力は、前記緩衝部材の圧縮に伴う復元力であることを特徴とする請求項１又は請求項２に記載の開閉部材動作制御ユニット。
【発明の詳細な説明】
【技術分野】
【０００１】
本発明は、開閉部材動作制御ユニットに係り、特に、開閉部材の動作の適正化を実現するための開閉部材動作制御ユニットに関するものである。
【背景技術】
【０００２】
開閉部材の一例としては、例えば、住宅の出入口に備え付けられるドア等が想定される。
これらのドアの中で、例えば、室内に設置されるインテリアドア等においては、片側に備え付けられた蝶番を中心に開閉動作が行われるものがある。
このような蝶番に改良を加え、開閉部材（ドア）の開閉動作を調整する技術が提案されている（例えば、特許文献１及び特許文献２参照）。
【０００３】
特許文献１には、ドア開閉速度制御機能を有する蝶番が開示されている。
この蝶番の管部には、その一端部が略円錐形状となった切頭円錐部が形成された軸心が貫通しており、その下方には、切頭円錐部と接する逆円錐部が形成された軸受が配設されている。そして、軸受と切頭円錐部との接触面を押圧する押圧手段が配設されている。
このように構成されているため、切頭円錐部と軸受との摩擦を調整し、ドアの開閉動作を調整することができる。
特許文献２に開示された蝶番は、旋状面が形成された凸カムと、旋状面が内周面に形成された凹カムに嵌装して構成されている。
この構成により、回動に伴う摩擦抵抗を少なくして、扉の自重による閉じ作用をスムーズに行うように動作を調整する。
【先行技術文献】
【特許文献】
【０００４】
【特許文献１】特開２００１−１５９２６６号公報
【特許文献２】実開平０６−００１６７４号公報（実願平０４−０３９６５３号）
【発明の概要】
【発明が解決しようとする課題】
【０００５】
しかし、特許文献１及び特許文献２に記載の技術によると、蝶番の構造が複雑であり、もっと簡易な構成で開閉部材の動作を制御する技術が求められていた。
一方、例えば、ドア等の場合には、ドアを閉鎖する場合に、閉鎖方向の力を減衰させて、閉鎖加速度の乗った速度を遅くしたいという要望があるとともに、開放する際には初動力を小さくし、小さい力で開放しやすくしたいという要望がある。
また、ゆっくりとドア等を閉塞する際においても、ドアが閉鎖する瞬間に若干の付加抵抗を加えてドアの独自の操作感（重量感）を与えたいという要望がある。
【０００６】
本発明の目的は、上記各問題点を解決することにあり、簡易な構成で、開閉部材の閉鎖速度を遅くするとともに、閉塞時に若干の付加抵抗を与えて開閉部材の操作感を付与することが可能な開閉部材動作制御ユニットを提供することにある。
また、本発明の他の目的は、開閉部材の閉鎖速度は遅くするが、開放する際の開放操作力を小さくすることが可能な開閉部材動作制御ユニットを提供することにある。
【課題を解決するための手段】
【０００７】
上記課題は、請求項１に係る開閉部材動作制御ユニットによれば、開閉部材を開閉方向へ回動させる中心となる蝶番と、開閉部材の閉塞時の当接力を吸収する弾性体である緩衝部材と、を有する開閉部材動作制御ユニットであって、前記緩衝部材は、前記開閉部材が設置される開口を囲む枠部又は前記開閉部材の輪郭端部、若しくはそれら双方に配設され、前記蝶番は、前記枠部に固定される下部蝶番と、前記開閉部材に固定される上部蝶番と、を少なくとも有して構成されており、前記下部蝶番は、前記枠部に固定される下部取付部と、該下部取付部に固定され、前記上部蝶番の回転中心となる中心軸が固定された下部円筒部と、を有して構成されるとともに、前記上部蝶番は、前記開閉部材に固定される上部取付部と、該上部取付部に固定され、前記中心軸に回動可能に取付けられる上部円筒部と、を有して構成されており、前記下部円筒部と前記上部円筒部とは、前記中心軸を前記上記円筒部の内部孔に挿通することにより取付けられて、前記下部円筒部の上端天面と前記上部円筒部の下端底面とは、少なくとも一部が接触するように構成され、前記上端天面には、前記下端底面方向に向けて上昇傾斜する下部傾斜面を有して構成される下部突起部が前記下端底面方向に向けて突設されているとともに、前記下端底面には、前記上端天面方向に向けて下降傾斜する上部傾斜面を有して構成される上部突起部が前記上端天面方向に向けて突設されており、前記開閉部材の閉塞動作に伴い、前記下部突起部に前記上部突起部が乗り上がって前記開閉部材を上昇させ、当該上昇に伴い、前記開閉部材の一部又は前記枠部の一部が、前記緩衝部材に圧接しながら上昇する、若しくは一方の前記緩衝部材が他方の前記緩衝部材に圧接しながら上昇することにより解決される。
【０００８】
具体的には、請求項２に記載のように、前記開閉部材が開状態から移動して、閉塞状態に近接した近接位置となった時点では、前記上部突起部が前記下部傾斜面の基端部に到達するとともに、前記開閉部材の一部又は前記枠部の一部が、前記緩衝部材に当接、若しくは一方の前記緩衝部材が他方の前記緩衝部材に当接しており、前記近接位置から前記閉塞状態へ変位するように更に外力が付加されると、前記上部円筒部は前記下部円筒部に対して回動するとともに、前記上部突起部は前記下部傾斜面に沿って上昇して前記上部円筒部を押し上げ、前記上部円筒部の上昇に従って、前記開閉部材は前記近接位置から前記閉塞状態へと変位するに従い上昇し、前記開閉部材の上昇に従い、前記開閉部材の一部又は前記枠部の一部が、前記緩衝部材に圧接しながら上昇して、若しくは一方の前記緩衝部材が他方の前記緩衝部材に圧接しながら上昇して、前記開閉部材に下方向への抗力を付加し、前記抗力は、前記上部突起部が前記下部傾斜面を上昇することを阻害する力へと変換されて、前記開閉部材の閉塞状態への変位速度を低下させる。
【０００９】
このように、本発明に係る開閉部材動作制御ユニットによれば、下部蝶番の上端天面と、上部蝶番の下端底面とに、各々、下部突起部と、上部突起部とを形成した。
そして、開閉部材を閉塞状態とするよう外力を加えて回動運動させると、上部突起部が、下部突起部を形成する下部傾斜面に乗り上がり、これに伴い開閉部材を僅かに上昇させるように構成した。
このとき、開閉部材が閉塞状態（完全に開閉部材が閉鎖した状態を指す）に近接した位置（あと僅かな回動で閉塞状態となる位置）に到達した時点で、上部突起部が下部傾斜面の基端部に到達するように構成するとともに、このとき、開閉部材の一部又は枠部の一部、若しくは一方の緩衝部材が、緩衝部材若しくは他方の緩衝部材、に当接するように構成した。
このため、閉塞状態に近接した位置から閉塞状態に至る間は、開閉部材の一部又は枠部の一部、若しくは一方の緩衝部材は、緩衝部材若しくは他方の緩衝部材、に圧接しながら上昇することとなる。
よって、接触による抗力が生じ、この抗力は上部突起部が下部傾斜面を上昇することを阻止する方向へと作用する。
このため、上部突起部を下部傾斜面に沿って上昇させるための負荷荷重に加えて、この阻止力により、閉塞状態に近接する位置から閉塞状態までの間において、開閉部材の閉鎖速度を遅くすることができる。
また、抗力により、僅かに、開閉部材の操作（手操作）に抵抗力がかかるため、開閉部材の操作感が得られ、重厚な質感を演出することができる。
逆に、開閉部材の閉塞状態から、開閉部材を開放する際、開放方向においては、重力により、上部突起部が、下部突起部より下降する力を得るため、開閉部材開放時の初期付加力を少なくすることができ、開放負荷が小さくなる。
なお、「閉塞状態に近接した位置」とは、例えば、開閉部材がドアの場合には、ラッチがストライクにあと僅かで嵌まり込む程度の位置を指す。
また、請求項に記載のように、緩衝部材は、開閉部材に備えられてもよく、枠部（所謂、戸当たり部）に備えられていてもよい。更には、それら双方に備えられていてもよい。
この緩衝部材が枠部に備えられている場合には、開閉部材の一部が緩衝部材に圧接しながら上昇することとなり、この緩衝部材が開閉部材に備えらえている場合には、枠部の一部が緩衝部材に圧接しながら上昇することとなる。また、双方に備えられている場合には、双方の緩衝部材が圧接しながら上昇することとなる。
【００１０】
このとき、具体的な構成としては、請求項３に記載のように、前記緩衝部材は、前記枠部内周面に内側へ向けて突設される戸当たりの前記開閉部材配設側面に取付けられた前記弾性体、前記開閉部材の外側面に取付けられた弾性体、前記枠部内周面に内側へ向けて突設される戸当たりの前記開閉部材配設側面及び前記開閉部材の外側面双方に取付けられた複数の前記弾性体、のいずれかの形態であり、前記抗力は、前記開閉部材の上昇に従い発生する、前記開閉部材と、前記戸当たりの前記開閉部材配設側面に取付けられた前記弾性体と、の間に生じる摩擦力、前記戸当たりと、前記開閉部材に取付けられた前記弾性体と、の間に生じる摩擦力、前記戸当たりの前記開閉部材配設側面に取付けられた一方の前記弾性体と、前記開閉部材に取付けられた他方の前記弾性体と、の間に生じる摩擦力、のうちのいずれかの摩擦力であると好適である。
更に、別の具体的な構成としては、請求項４に記載のように、前記緩衝部材は、前記枠部の上方を規定する上方枠の内壁面に、前記開閉部材方向に突設された弾性体、前記開閉部材に、前記上方枠の内壁面側に取付けけられた弾性体、前記枠部の上方を規定する上方枠の内壁面に、前記開閉部材方向に突設された弾性体及び前記開閉部材に、前記上方枠の内壁面側に取付けけられた弾性体、であり、前記緩衝部材は、前記開閉部材の上昇に従い、前記開閉部材の天面と前記上方枠の内壁面との間で、上下方向に圧縮され、前記抗力は、前記緩衝部材の圧縮に伴う復元力であると好適である。
【００１１】
このように構成されていると、開閉部材の上昇力から生じる、緩衝部材の摩擦力や復元力を利用して、これらの力を上部蝶番の上昇を妨げる力に変換し、簡易に、開閉部材の閉鎖速度を低下させることができる。
【発明の効果】
【００１２】
本発明に係る開閉部材動作制御ユニットによれば、開閉部材が閉塞状態に近接した位置に到達した時点で、上部突起部が下部傾斜面の基端部に到達するように構成するとともに、このとき、開閉部材の一部が緩衝部材に当接するように構成し、上部突起部が下部傾斜面に沿って上昇するに従い、開閉部材の一部が緩衝部材と圧接しながら上昇するように構成した。
よって、開閉部材の一部が緩衝部材に圧接しながら上昇することにより生じる抗力によって、上部突起部が下部傾斜面を上昇することを阻止する力が働き、これに、上部突起部を下部傾斜面に沿って上昇させる負荷も加わり、開閉部材の閉鎖速度を遅くすることができる。
よって、簡易な構成で、開閉部材の閉鎖速度を遅くするとともに、閉鎖時に若干の付加抵抗を与えて開閉部材の操作感を付与することができる。
また、開閉部材の閉鎖速度は遅くするが、開放する際の開放操作力を小さくすることができる。
【図面の簡単な説明】
【００１３】
【図１】本発明の一実施形態に係る蝶番が配設されたドアを示す正面図である。
【図２】本発明の一実施形態に係る蝶番を示す斜視図（図１のＢ部に使用）である。
【図３】図１のＡ−Ａ線断面相当図である。
【図４】図２のＣ部拡大説明図である。
【図５】本発明の一実施形態に係る蝶番の動作を示す説明図である。
【図６】本発明の一実施形態に係るドアの上昇状態を示す模式図である。
【図７】改変例を示す説明図である。
【発明を実施するための形態】
【００１４】
以下、本発明の一実施形態を図面に基づいて説明する。
なお、以下に説明する構成は本発明を限定するものではなく、本発明の趣旨の範囲内で種々改変することができるものである。
【００１５】
本実施形態は、簡易な構成で、開閉部材の閉鎖速度を遅くするとともに、開放する際の開放操作力を小さくするよう工夫された開閉部材動作制御ユニットに関するものである。
また、本実施形態に係る開閉部材動作制御ユニットでは、閉塞時に若干の付加抵抗を与えてドアの操作感を付与することができ、ドアの高級感を演出することもまた可能である。
【００１６】
図１乃至図６は、本発明に係る一実施形態を示すものであり、図１は蝶番が配設されたドアを示す正面図、図２は蝶番を示す斜視図（図１のＢ部に使用）、図３は図１のＡ−Ａ線断面相当図、図４は図２のＣ部拡大説明図、図５は蝶番の動作を示す説明図、図６はドアの上昇状態を示す模式図である。
なお、図７は、改変例を示す。
【００１７】
図１により、本実施形態に係る開閉部材動作制御ユニットＳの使用箇所及び使用状態を説明する。
なお、本実施形態においては、開閉部材として、ドアＤ１が使用されている。
本実施形態においては、このドアＤ１として、室内に使用される所謂「インテリアドア」についての例を説明する。
しかし、本発明に係る開閉部材はこれに限定されることはなく、一方側に配設された蝶番を中心に回動する所謂「片開きタイプ」の開閉部材であれば、どのようなものにおいても好適に使用することが可能である。
【００１８】
図１により、本実施形態に係る開閉部材動作制御ユニットＳが使用されるドアＤ１まわりについて説明する。
本実施形態に係るドアＤ１は、前述の通り、公知のインテリアドアであり、その周囲は、ドア枠Ｄ２により囲繞されている。
ドアＤ１の一側部は、上下に配設される２個の蝶番１，１によってドア枠Ｄ２に連結されており、これら蝶番１，１を中心にドアＤ１が回動可能（つまり、開閉可能）となるように構成されている。
そして、そのドア枠Ｄ２の内周部には、内側方向に僅かに突出する突出縁として形成される戸当たりＤ３が囲繞形成されている。
この構成により、ドアＤ１が閉塞状態となると同時に、戸当たりＤ３にドアＤ１の外周縁部が当接することとなり、戸当たりＤ３は、所謂「ストッパ」としての役割を果たす。
【００１９】
次いで、図２乃至図４により本実施形態に係る開閉部材動作制御ユニットＳについて説明する。
本発明に係る開閉部材動作制御ユニットＳは、蝶番１，１と、緩衝部材２と、を有して構成されている。
蝶番１，１は、上下方向に並列して取付けられているが、これらは、同じものであるため、上方に配設されている蝶番１について説明する。
本実施形態に係る蝶番１は、所謂「バタフライ蝶番」を原型としている。
【００２０】
本実施形態に係る蝶番１は、下部蝶番１１と、上部蝶番１２と、を有して構成されている。
本実施形態に係る下部蝶番１１は、下部円筒部１１ａと、下部取付部１１ｂと、中心軸１１ｃと、を有して構成されている。
下部円筒部１１ａは、円筒状の部材であり、その内部孔には中心軸１１ｃの下端部が固定されている。
つまり、下部円筒部１１ａの上方（後述する上部円筒部１２ａと対面する側）に向けて、中心軸１１ｃの上端部が突出するように構成されている。
【００２１】
そして、この下部円筒部１１ａの円環状の上端天面Ｔ１には、上方に突出する２個の下部突起部１１１，１１１が形成されている。
この下部突起部１１１，１１１は、下部円筒部１１ａの上面視円形状において、略１８０°離隔した位置に各々形成されている。
また、本例においては、山形となるように構成されている。
ただし、この突起形状はこれに限られることはなく、上昇する傾斜面が形成されていれば、どのような形状であってもよい。
なお、下部突起部１１１に形成される上昇傾斜面を「下部傾斜面１１１ａ」と記す。
【００２２】
また、下部円筒部１１ａの側面からは、略矩形平板状の下部取付部１１ｂが延出している。
この下部取付部１１ｂには、複数（本例においては４個）の下部螺子孔１１２が形成されており、ドア枠Ｄ２の内側面に下部蝶番１１を取付ける際の締結用孔となる。
【００２３】
本実施形態に係る上部蝶番１２は、上部円筒部１２ａと、上部取付部１２ｂと、を有して構成されている。
上部円筒部１２ａは、円筒状の部材であり、その上部内部孔１２ｃの内径は、中心軸１１ｃの外径より僅かに大きくなるよう構成されている。
つまり、上部内部孔１２ａには、中心軸１１ｃの上端部が回動可能に挿通可能となっている。
【００２４】
そして、この上部円筒部１２ａの円環状の下端底面Ｔ２には、下方に突出する２個の上部突起部１２１，１２１が形成されている。
この上部突起部１２１，１２１は、上部円筒部１２ａの底面視円形状において、略１８０°離隔した位置に各々形成されている。
また、本例においては、上部突起部１２１，１２１は、下部突起部１１１，１１１と同形状（つまり、山形）となるように構成されている。
ただし、この突起形状はこれに限られることはなく、下降する傾斜面が形成されていれば、どのような形状であってもよい。
なお、上部突起部１２１に形成される下降傾斜面を「上部傾斜面１２１ａ」と記す。
【００２５】
また、上部円筒部１２ａの側面からは、略矩形平板状の上部取付部１２ｂが延出している。
この上部取付部１２ｂには、複数（本例においては４個）の上部螺子孔１２２が形成されており、ドアＤ１の側面（ドア枠Ｄ２内周面側を向く面）に上部蝶番１２を取付ける際の締結用孔となる。
【００２６】
本実施形態に係る緩衝部材２は、戸当たりＤ３のドアＤ１当接面に取付けられた弾性を有する部材である。
本実施形態においては、例えば、ゴム製の緩衝部材２が、戸当たりＤ３のドアＤ１当接面に貼付されている。
ただし、ドアＤ１が当接する際の緩衝材となれば、どのような材質・形状のものでもよく、剛性樹脂、繊維製クッション材等どのような材質のものが使用されていてもよい。
【００２７】
上記のように構成された、各部材は、以下のように組み立てられる。
まず、下部取付部１１ｂを、中心軸１１ｃが上方に突出するようにセットして、ドア枠Ｄ２内側面上方の適宜位置に取付ける。これは、下部螺子孔１１２から木ネジを螺設することにより行う。
この操作と同じ操作を、ドア枠Ｄ２内側面下方適宜位置にて、もう一個の蝶番１を構成する下部取付部１１ｂにおいても行う。
【００２８】
そして、上部取付部１２ｂを、ドアＤ１側面（ドア枠Ｄ２内周面側を向く面）上方に取付ける。これは、上部螺子孔１２２から木ネジを螺設することにより行う。
この操作と同じ操作を、ドアＤ１側面（ドア枠Ｄ２内周面側を向く面）下方適宜位置にて、もう一個の蝶番１を構成する上部取付部１２ｂにおいても行う。
【００２９】
次いで、上部円筒部１２ａ，１２ａの上部内部孔１２ｃ，１２ｃに、中心軸１１ｃ，１１ｃの上端側を挿通する。
また、緩衝部材２は、ドアＤ１が閉塞した際に、ドアＤ１と当接するように、ドア枠Ｄ２に配設される。
このように構成されているため、ドアＤ１の開閉操作を行うと、ドア枠Ｄ２に固定された下部蝶番１１は不動であるが、これに対し回動可能に軸支された上部蝶番１２の上部円筒部１２ａが下部蝶番１１に対して回動する。
このため、ドアＤ１は、下部蝶番１１の下部取付部１１ｂが固定されたドア枠Ｄ２に対して回動（開閉動作）を行うことができる。
【００３０】
また、本実施形態に係る蝶番１を構成する上部蝶番１２の位置は、ドアＤ１の開閉操作に応じて、下部蝶番１１の位置に対して、上下方向に変位するように構成されており、これに伴い、上部蝶番１２に固定されたドアＤ１が上下方向に変位するよう構成されている。
以下、その変位と機能について説明する。
【００３１】
以上のように構成された、開閉部材動作制御ユニットＳの動作及び機能について説明する。
図５に、上端天面Ｔ１及び下端底面Ｔ２付近の動きを示す。
まず、ドアＤ１が開放された状態では、図５（ａ）の状態となるようになっている。
つまり、ドアＤ１が開放された状態では、下部突起部１１１，１１１と上部突起部１２１，１２１とは、干渉していない。
【００３２】
しかし、ドアＤ１の閉動作を始めると、上記のとおり、上部円筒部１２ａは、下部円筒部１２ｂに対して回動し、閉塞状態間近になると、図５（ｂ）に示すように、上部突起部１２１，１２１は、下部突起部１１１，１１１に乗り上げ始める。
この乗り上げる寸前の地点Ｐ１に、上部突起部１２１，１２１が到達した地点で、ドアＤ１の蝶番１側の側辺部が、緩衝部材２の戸当たり箇所に当接するよう構成されている。
【００３３】
そして、閉塞状態においては、上部突起部１２１，１２１は、下部突起部１１１，１１１の最高点Ｐ２へと乗り上げる。
つまり、下部円筒部１１ａは不動なので、上部円筒部１２ａは距離ｔ１分上昇、つまり、ドアＤ１は距離ｔ１分上昇している。
【００３４】
このとき、図５（ｂ）の時点で、ドアＤ１の蝶番１側の側辺部が、緩衝部材２の戸当たり箇所に当接しているため、図５（ｂ）の時点から図５（ｃ）の時点に変位するまでの間においては、ドアＤ１の蝶番１側の側辺部は、図６に示すように、緩衝部材２の戸当たり箇所に摺接しながら上昇することとなる。
よって、この摺接により発生する摩擦力によって、ドアＤ１の閉動作に抵抗力が生じ、ドアＤ１の閉鎖速度を遅くすることができる。
つまり、ドアＤ１が上昇しようとする力と抗う力、つまり、ドアＤ１が上昇するために加えられる力と逆向きの力である摩擦力が発生し、このため、ドアＤ１の閉鎖速度が遅くなる。
【００３５】
また、この摩擦力による抵抗力により、僅かに、手操作に抵抗力がかかるため、ドアＤ１の操作感が得られ、重厚な質感を演出することができる。
逆に、ドアＤ１の閉塞状態からドアＤ１を開放する際、ドアＤ１の開放方向においては、重力により、上部突起部１２１，１２１が、下部突起部１１１，１１１より下降する力を得るため、ドアＤ１開放時の初期付加力を少なくすることができ、開放負荷が小さくなる。
なお、蝶番１で、ドアＤ１の前後位置を調整することにより、緩衝部材２とドアＤ１との間の摩擦力を調整することができる。例えば、ドアＤ１と緩衝部材２との距離を近くすると、摩擦力を大きくすることができ、逆では摩擦力を小さくすることができる。
このため、本実施形態によれば、負荷の調整が簡易である。
なお、本例では、緩衝部材２は、戸当たりＤ３のドアＤ１当接面に取付けられていたが、これに限られることはなく、ドアＤ１側に備えられていてもよいし、戸当たりＤ３及びドアＤ１の双方に備えられていてもよい。
ドアＤ１側に備えられる場合には、緩衝部材２と戸当たりＤ３の一部が圧接することとなる。
また、戸当たりＤ３及びドアＤ１双方に緩衝部材２が備えられていてもよい。この場合には、一方の緩衝部材２が他方の緩衝部材２と圧接することとなる。
その他の説明は、上記と同様である。
【００３６】
次いで、改変例について説明する。
本例にいては、緩衝部材２の構成を変更した。
本例では、第二緩衝部材１０２は、ドア枠Ｄ２の上方内壁面に取付けられている。
なお、これは、ドアＤ１の蝶番１側の側辺部上端に取付けられていてもよい。
なお、蝶番１は上記実施形態と同様であり、地点Ｐにて、上部突起部１２１，１２１は、下部突起部１１１，１１１に乗り上げ始める。
この乗り上げる寸前の地点Ｐ１に、上部突起部１２１，１２１が到達した地点で、図７（ａ）に示すように、第二緩衝部材１０２の下端底面が、ドアＤ１の天面に当接する。
【００３７】
そして、図５（ｂ）の時点から図５（ｃ）の時点に変位するまでの間においては、第二緩衝部材１０２の下端底面が、ドア枠Ｄ１天面に圧接しながら（つまり、第二緩衝部材１０２が押しつぶされながら）ドアＤ１がｔ１分上昇することとなる。
よって、この圧接により発生する復元力によって、ドアＤ１の閉動作に抵抗力が生じ、ドアＤ１の閉鎖速度を遅くすることができる。
つまり、ドアＤ１が上昇しようとする力と抗う力、つまり、ドアＤ１が上昇するために加えられる力と逆向きの力である第二緩衝部材１０２の復元力が発生し、このため、ドアＤ１の閉鎖速度が遅くなる。
【００３８】
また、第二緩衝部材１０２の復元力により、操作者は負荷を受けるため、手操作に抵抗力がかかるため、ドアＤ１の操作感が得られ、重厚な質感を演出することができる。
逆に、ドアＤ１の閉塞状態からドアＤ１を開放する際、ドアＤ１の開放方向においては、重力により、上部突起部１２１，１２１は、下部突起部１１１，１１１より下降する力を得るため、ドアＤ１開放時の初期付加力を少なくすることができ、開放負荷が小さくなる。
なお、第二緩衝部材１０２を、ドアＤ１の蝶番１側の側辺部上端に取付けた場合、第二緩衝部材１０２の天面が、ドア枠Ｄ２の上方内壁面に当接及び圧接することとなり、その他は、上記説明と同様である。
更に、第二緩衝部材１０２は、ドアＤ１及びドア枠Ｄ２の双方に備えられていてもよい。
その場合は、双方接触した後、お互いに押し潰れながら上昇して復元力が発生することとなり、その他は、上記説明と同様である。
【符号の説明】
【００３９】
Ｓ  開閉部材動作制御ユニット
１  蝶番
１１  下部蝶番
１１ａ  下部円筒部
１１１  下部突起部
１１１ａ  下部傾斜面
１１ｂ  下部取付部
１１２  下部螺子孔
１１ｃ  中心軸
１２  上部蝶番
１２ａ  上部円筒部
１２１  上部突起部
１２１ａ  上部傾斜面
１２ｂ  上部取付部
１２２  上部螺子孔
１２ｃ  上部内部孔
２  緩衝部材
１０２  第二緩衝部材
Ｄ１  ドア（開閉部材）
Ｄ２  ドア枠（枠部）
Ｄ３  戸当たり
Ｔ１  上端天面
Ｔ２  下端底面
【図１】
2016044468.tif 000003
【図２】
2016044468.tif 000004
【図３】
2016044468.tif 000005
【図４】
2016044468.tif 000006
【図５】
2016044468.tif 000007
【図６】
2016044468.tif 000008
【図７】
2016044468.tif 000009